(57)【要約】【課題】液晶表示モジュールを後方から照明するバックライトの明るさが常温下において不足することを防止して表示画面の視認性を向上させる。【解決手段】ホストマイコン４は温度センサ５により検出されたバックライトの周囲温度Ｔがバックライトの規定の動作保証上限温度より低い場合に、バックライト１の駆動電流Ｉがバックライトの規定の動作保証上限温度に対応する駆動電流より高くなるように制御し、例えばバックライトの周囲温度に対する動作保証駆動電流の特性に応じてバックライトの駆動電流が動作保証駆動電流になるように制御する。【選択図】　　　　図１
2004069907.tif 000002
【特許請求の範囲】
【請求項１】
液晶表示モジュールを後方から照明するバックライトの輝度を制御する方法であって、
前記バックライトの周囲温度を検出し、前記検出された温度が前記バックライトの規定上限温度より低い場合に、前記バックライトの駆動電流が前記バックライトの規定上限温度に対応する駆動電流より高くなるように制御するバックライトの輝度制御方法。
【請求項２】
液晶表示モジュールを後方から照明するバックライトの輝度制御装置であって、
前記バックライトの周囲温度を検出する温度検出手段と、
前記温度検出手段により検出された前記温度が前記バックライトの規定上限温度より低い場合に、前記バックライトの駆動電流が前記バックライトの規定上限温度に対応する駆動電流より高くなるように制御する制御手段とを、
有するバックライトの輝度制御装置。
【請求項３】
前記制御手段は、前記温度検出手段により検出された前記バックライトの周囲温度に対する動作保証駆動電流の特性に応じて、前記バックライトの駆動電流が前記動作保証駆動電流になるように制御するよう構成されている請求項２に記載のバックライトの輝度制御装置。
【発明の詳細な説明】
【０００１】
【発明の属する技術分野】
本発明は、液晶表示モジュールを後方から照明するバックライトの輝度制御方法及び装置に関する。
【０００２】
【従来の技術】
一般に、電子機器は一定の温度範囲内で正常に動作することを保証する上限温度が規定されており、特に車載用の電子機器では、高温の環境下であっても正常に動作することを保証する動作保証上限温度が規定されている。このため、車載用の液晶（ＬＣＤ）表示モジュールを後方から照明するＬＥＤなどのバックライトの駆動電流も車両側の規定の動作保証上限温度（例えば７０°Ｃ）以下で正常に動作するように一定に設定されている。
【０００３】
【発明が解決しようとする課題】
しかしながら、従来の液晶表示モジュールでは、バックライトの駆動電流がバックライトの規定の動作保証上限温度に対応するように一定に設定されているので、明るさも駆動電流に略比例することから、動作保証上限温度より低い常温下において明るさが不足し、表示画面の視認性が悪いという問題点がある。
【０００４】
ここで、図２はバックライト用の、あるＬＥＤの周囲温度−動作保証駆動電流の特性を示している。この例では、８５°ＣがこのＬＥＤの動作保証上限温度であって、この温度における動作保証駆動電流は５ｍＡ以下である。また、６０°Ｃ以下における動作保証駆動電流は１５ｍＡ以下であり、８５°Ｃ〜６０°Ｃの範囲における動作保証駆動電流は、５ｍＡ−１５ｍＡを案分比例した電流である。しかしながら、従来例では、図２において破線で示すように車両側の規定の動作保証上限温度＝７０°Ｃに対して駆動電流を一定の１２ｍＡに設定すると、常温下ではそれより高い駆動電流を印加しても破壊されないにもかかわらず、実際には印加していないので明るさが不足する。なお、実際には、ＬＥＤが破壊する駆動電流は動作保証駆動電流より高いのが一般的である。
【０００５】
本発明は上記従来例の問題点に鑑み、液晶表示モジュールを後方から照明するバックライトの明るさがバックライトの規定の動作保証上限温度より低い常温下において不足することを防止して表示画面の視認性を向上させることができるバックライトの輝度制御方法及び装置を提供することを目的とする。
【０００６】
【課題を解決するための手段】
本発明は上記目的を達成するために、液晶表示モジュールを後方から照明するバックライトの輝度を制御する方法であって、
前記バックライトの周囲温度を検出し、前記検出された温度が前記バックライトの規定上限温度より低い場合に、前記バックライトの駆動電流が前記バックライトの規定上限温度に対応する駆動電流より高くなるように制御するものである。
【０００７】
また、本発明は上記目的を達成するために、液晶表示モジュールを後方から照明するバックライトの輝度制御装置であって、
前記バックライトの周囲温度を検出する温度検出手段と、
前記温度検出手段により検出された前記温度が前記バックライトの規定上限温度より低い場合に、前記バックライトの駆動電流が前記バックライトの規定上限温度に対応する駆動電流より高くなるように制御する制御手段とを、
有する構成とした。
上記輝度制御方法及び装置によれば、常温下において明るさが不足することを防止して表示画面の視認性を向上させることができる。
【０００８】
また、前記制御手段は、前記温度検出手段により検出された前記バックライトの周囲温度に対する動作保証駆動電流の特性に応じて、前記バックライトの駆動電流が前記動作保証駆動電流になるように制御することを特徴とする。
【０００９】
【発明の実施の形態】
以下、図面を参照して本発明の実施の形態について説明する。図１は本発明に係るバックライトの輝度制御装置の一実施の形態を示すブロック図、図２は図１のバックライトの周囲温度と動作保証駆動電流の関係、及び図１のマイコンの輝度制御を示す説明図である。
【００１０】
図１において、バックライト１は電源２から駆動電流Ｉを受けて発光し、ＬＣＤにより構成される表示モジュール３を後方から照明する。ホストマイコン４は温度センサ５により検出されたバックライトの周囲温度Ｔに応じて電源２を制御することにより、バックライト１の駆動電流Ｉを制御する。
【００１１】
ホストマイコン４はバックライト１が、例えば図２に示すような周囲温度Ｔ−動作保証駆動電流Ｉの特性を有するようなＬＥＤの場合、バックライトの周囲温度Ｔ及びこの特性に従って、Ｔ＝６０°Ｃ以下では駆動電流Ｉが１５ｍＡになるように制御する。また、Ｔ＝８５°Ｃ〜６０°Ｃの範囲では、５ｍＡ−１５ｍＡを案分比例した駆動電流Ｉになるように制御して、Ｔ＝８５°では駆動電流Ｉが５ｍＡになるように制御する。
【００１２】
ここで、バックライトの周囲温度Ｔが６０°Ｃ以下の場合、駆動電流Ｉを従来例では車両側の規定の動作保証上限温度＝７０°Ｃに対応する一定の１２ｍＡに設定するのに対し、実施の形態では１５ｍＡに設定するので、明るさも駆動電流Ｉに略比例することから、常温下において明るさが不足することを防止して表示モジュール３の表示画面の視認性を向上させることができる。また、バックライトの周囲温度Ｔが車両側の動作保証上限温度＝７０°Ｃ以上の場合には、１２ｍＡ以下に設定するので、表示モジュール３の温度上昇を抑制することができる。また、ホストマイコン４は複雑な処理を必要としないので専用のものを用いる必要はなく、例えばＬＣＤの表示モジュール３のコントラストを制御するものと兼用し、割り込みによりバックライトの周囲温度Ｔを取り込んでバックライト１の駆動電流Ｉを制御するようにしてもよい。
【００１３】
【発明の効果】
以上説明したように本発明によれば、バックライトの周囲温度が規定の動作保証上限温度より低い場合に、バックライトの駆動電流が車両の規定の動作保証上限温度に対応する駆動電流より高くなるように制御するので、バックライトの周囲温度が規定の動作保証上限温度より低い常温下において明るさが不足することを防止して表示画面の視認性を向上させることができる。
【図面の簡単な説明】
【図１】本発明に係るバックライトの輝度制御装置の一実施の形態を示すブロック図
【図２】図１のバックライトの周囲温度と動作保証駆動電流の関係、及び図１のマイコンの輝度制御を示す説明図
【符号の説明】
１　バックライト
２　電源
３　表示モジュール
４　ホストマイコン
５　温度センサ
【図１】
2004069907.tif 000003
【図２】
2004069907.tif 000004